(57)【特許請求の範囲】
【請求項１】
矩形状の枠体と、この枠体の内側空間に取り付けられ緑化植物が生長できる状態で支持するメッシュ状支持部材とを有する緑化パネル体と、
前記緑化パネル体の枠体の下部に該枠体とは分離して設けられ、下面に設けられたキャスターで支持される植栽容器設置台と、
前記植栽容器設置台の上面に載置され、前記緑化パネル体のメッシュ状支持部材の下部に配置され緑化植物を生長させるための植栽容器と、を備え、
前記緑化パネル体を、建物の壁面に沿って外側に張り出した張出床部において建物の壁面側から予め定めた距離だけ離れた位置にて該壁面に平行に設け、前記植栽容器設置台を前記緑化パネル体の枠体に対して上下移動自在に支持すると共に、前記キャスターにより植栽容器設置台を前記張出床部上で移動可能に支持したことを特徴とする建物緑化構造体。
【請求項２】
前記植栽容器設置台は、上下方向の長穴が形成された係止金具とその長穴に嵌合する軸部材とを利用して、前記枠体の下部に支持されることを特徴とする請求項１記載の建物緑化構造体。
【請求項３】
前記緑化パネル体は、前記枠体の上方に設置されたレール部材に係合させて前記壁面に平行に設け、前記レール部材に沿って壁面に平行にスライド可能としたことを特徴とする請求項１又は２記載の建物緑化構造体。
【請求項４】
前記緑化パネル体は、該緑化パネル体の縦軸を中心にして前記張出床部内で所定角度まで回動可能としたことを特徴とする請求項１又は２記載の建物緑化構造体。
【請求項５】
前記緑化パネル体は、前記枠体の上方に設置されたレール部材に係合させて前記壁面に平行に２枚以上連結して設け、該緑化パネル体の縦軸を中心にして前記張出床部内で所定角度まで回動可能とすると共に、前記レール部材に沿って側方へスライド可能としたことを特徴とする請求項１又は２記載の建物緑化構造体。
【発明の詳細な説明】
【技術分野】
【０００１】
本発明は、例えばつる性植物等を利用して建築物の修景及び熱負荷の低減等を図る建物緑化構造体に関し、詳しくは、緑化植物が生長できる状態で支持された緑化パネル体にて、植栽容器を載置した植栽容器設置台を枠体に対して上下移動自在に支持すると共に、下面に設けられたキャスターにより建物の張出床部上で移動可能に支持して、緑化植物に対する水やり等の管理や、枝葉の切除等の手入れなどを容易とする建物緑化構造体に係るものである。
【背景技術】
【０００２】
従来のこの種の建物緑化構造体は、本出願人の提案に係るものとして、枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて該壁面に略平行に設け、上記緑化パネル体の縦軸を中心にして該緑化パネル体を上記張出床部の内側に向けて所定角度まで位置変更可能としたものがある（例えば、特許文献１の請求項１参照）。
【０００３】
また、前記建物緑化構造体の他の実施形態として、外枠を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記外枠に取り付けられた緑化パネル体の一側辺部を中心にして該緑化パネル体を上記張出床部の内側に向けて所定角度まで回動可能とすると共に、上記レール部材の端末部に設けられた収納用レール部材を利用して収納可能としたものがある（例えば、特許文献１の請求項３参照）。
【先行技術文献】
【特許文献】
【０００４】
【特許文献１】特許第４４５６５４９号公報
【発明の概要】
【発明が解決しようとする課題】
【０００５】
特許文献１に記載の建物緑化構造体においては、緑化植物が生長できる状態で支持された植物支持パネルを取り付けた緑化パネル体が大型化すると、その緑化パネル体の重量が大きくなり、枠体の重量負担が大きくなる。特に、緑化植物が生長するに従って根が張る植栽容器（プランター）内の土壌の量が多くなり、植栽容器全体の重量が大きくなって、建物緑化構造体の重量負担が大きくなるものであった。これに対して、建物緑化構造体の負担軽減のため、植栽容器又は植栽容器設置台の下面にキャスター等を設けて、設置床面上に支持するための工夫が求められていた。
【０００６】
また、前記特許文献１に記載の建物緑化構造体において、緑化植物が生長できる状態で支持された緑化パネル体を、建物（例えばマンション等）の張出床部（例えばベランダ等）の外側辺近傍にて建物の壁面に平行に設け、上記緑化パネル体の縦軸を中心にして張出床部の内側に向けて所定角度（約９０度）まで回動可能としていた。しかし、通常、マンション等のベランダでは、掃除用の水や雨水等を排水するために外側に向かって低くなるように傾斜した水勾配が付けられている。したがって、単に植栽容器又は植栽容器設置台の下面にキャスターを設けただけでは、緑化パネル体を張出床部の内側に向けて所定角度まで回動する際に、前記キャスターがベランダの水勾配による高低差に追従できず、結局、前記緑化パネル体を回動できないことがあった。
【０００７】
さらに、前記特許文献１に記載の建物緑化構造体の他の実施形態において、外枠を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、緑化パネル体を上記レール部材の端末部に設けられた収納用レール部材を利用して収納可能としていた。しかし、通常のマンション等のベランダでは、壁面に平行な方向のベランダ表面の仕上げは必ずしも平らとは言えず、凹凸があったり、波打ち状態になっていることがある。したがって、単に植栽容器又は植栽容器設置台の下面にキャスターを設けただけでは、緑化パネル体を張出床部にて壁面に略平行にスライドする際に、前記キャスターがベランダ表面の凹凸や波打ち部分にぶつかって、結局、前記緑化パネル体をスライドできないことがあった。
【０００８】
そこで、このような問題点に対処し、本発明が解決しようとする課題は、緑化植物が生長できる状態で支持された緑化パネル体にて、植栽容器を載置した植栽容器設置台を枠体に対して上下移動自在に支持すると共に、下面に設けられたキャスターにより建物の張出床部上で移動可能に支持して、植栽容器内の土壌の量が多くなってその重量が大きくなったり、前記張出床部に水勾配が付けられていたり、表面仕上げが平らでない場合であっても、緑化パネル体を張出床部上で移動可能に支持する建物緑化構造体を提供することにある。
【課題を解決するための手段】
【０００９】
前記課題を解決するために、本発明による建物緑化構造体は、矩形状の枠体と、この枠体の内側空間に取り付けられ緑化植物が生長できる状態で支持するメッシュ状支持部材とを有する緑化パネル体と、前記緑化パネル体の枠体の下部に該枠体とは分離して設けられ、下面に設けられたキャスターで支持される植栽容器設置台と、前記植栽容器設置台の上面に載置され、前記緑化パネル体のメッシュ状支持部材の下部に配置され緑化植物を生長させるための植栽容器と、を備え、前記緑化パネル体を、建物の壁面に沿って外側に張り出した張出床部において建物の壁面側から予め定めた距離だけ離れた位置にて該壁面に平行に設け、前記植栽容器設置台を前記緑化パネル体の枠体に対して上下移動自在に支持すると共に、前記キャスターにより植栽容器設置台を前記張出床部上で移動可能に支持したものである。
【００１０】
また、前記植栽容器設置台は、上下方向の長穴が形成された係止金具とその長穴に嵌合する軸部材とを利用して、前記枠体の下部に支持されるようにしてもよい。
【００１１】
さらに、前記緑化パネル体は、前記枠体の上方に設置されたレール部材に係合させて前記壁面に平行に設け、前記レール部材に沿って壁面に平行にスライド可能としてもよい。
【００１２】
さらにまた、前記緑化パネル体は、該緑化パネル体の縦軸を中心にして前記張出床部内で所定角度まで回動可能としてもよい。
【００１３】
また、前記緑化パネル体は、前記枠体の上方に設置されたレール部材に係合させて前記壁面に平行に２枚以上連結して設け、該緑化パネル体の縦軸を中心にして前記張出床部内で所定角度まで回動可能とすると共に、前記レール部材に沿って側方へスライド可能としてもよい。
【発明の効果】
【００１４】
本発明によれば、矩形状の枠体と、この枠体の内側空間に取り付けられ緑化植物が生長できる状態で支持するメッシュ状支持部材とを有する緑化パネル体と、前記緑化パネル体の枠体の下部に該枠体とは分離して設けられ、下面に設けられたキャスターで支持される植栽容器設置台と、前記植栽容器設置台の上面に載置され、前記緑化パネル体のメッシュ状支持部材の下部に配置され緑化植物を生長させるための植栽容器と、を備え、前記緑化パネル体を、建物の壁面に沿って外側に張り出した張出床部において建物の壁面側から予め定めた距離だけ離れた位置にて該壁面に平行に設け、前記植栽容器設置台を前記緑化パネル体の枠体に対して上下移動自在に支持すると共に、前記キャスターにより植栽容器設置台を前記張出床部上で移動可能に支持したことにより、植栽容器内の土壌の量が多くなってその重量が大きくなったり、前記張出床部に水勾配が付けられていたり、表面仕上げが平らでない場合であっても、緑化パネル体を張出床部上で高低差に追従して移動可能とすることができる。これにより、緑化植物が生長できる状態で支持された緑化パネル体を、建物の張出床部にて前記壁面に平行にスライドして移動させたり、該緑化パネル体の縦軸を中心にして張出床部内で所定角度まで回動可能として、前記張出床部を作業スペースとして作業者が緑化植物に対して水やり、肥料の供給、防虫薬剤散布等の管理や、繁茂した枝葉の切除等の手入れなどができる。この場合、緑化パネル体の枠体とは分離して設けられた植栽容器設置台をキャスターで支持することで、前記枠体は植栽容器及び植栽容器設置台の重量を負担することがなくなる。
【図面の簡単な説明】
【００１５】
【図１】本発明による建物緑化構造体の第１の実施形態を示す正面図である。
【図２】図１の右側断面図である。
【図３】図２において枠体に対する植栽容器設置台の支持状態を示す要部拡大断面図であり、（ａ）は植栽容器設置台が枠体に対して下方移動した状態を示す説明図、（ｂ）は植栽容器設置台が枠体に対して上方移動した状態を示す説明図である。
【図４】第２の実施形態を示す正面図である。
【図５】建物緑化構造体の設置状態及び使用状態を示す図４の平面図である。
【図６】第３の実施形態を示す正面図である。
【図７】建物緑化構造体の設置状態及び使用状態を示す図６の平面図である。
【図８】第４の実施形態を示す正面図である。
【図９】建物緑化構造体の設置状態及び使用状態を示す図８の平面図である。
【発明を実施するための形態】
【００１６】
以下、本発明の実施の形態を添付図面に基づいて詳細に説明する。
図１は、本発明による建物緑化構造体の第１の実施形態を示す正面図であり、図２はその右側断面図であり、図３はその要部を示す拡大断面図である。この建物緑化構造体は、例えばつる性植物等を利用して建築物の修景及び熱負荷の低減を図るもので、緑化パネル体１を、建物の壁面２に沿って外側に張り出した張出床部（例えばビルのベランダなど）３において建物の壁面側から予め定めた距離だけ離れた位置にて、上下方向に設置された支柱４を用いて前記壁面２に平行に設けられ、前記緑化パネル体１の植栽容器設置台に設けられたキャスターにより該植栽容器設置台が前記張出床部３上で移動可能に支持されている。
【００１７】
緑化パネル体１は、緑化植物が生長できる状態で略垂直に立てて支持するもので、枠体５と、メッシュ状支持部材６と、植栽容器７と、植栽容器設置台８とを有して成る。前記枠体５は、メッシュ状支持部材６を支持する枠部材となるもので、内側に縦長の空間を有し、例えば金属製のアングル材等で矩形状に形成されている。
【００１８】
前記枠体５の内側空間には、メッシュ状支持部材６が取り付けられている。このメッシュ状支持部材６は、例えばつる性植物等の緑化植物が生長できる状態で実際に支持するもので、適宜の大きさの網目を有する金網等から成る。図１及び図２の実施形態では、このメッシュ状支持部材６は、図１に示すように、前記枠体５の内側空間に四隅部を取付金具６ａで止められて固定状態で取り付けられている。
【００１９】
前記メッシュ状支持部材６の下部には、植栽容器７が配置されている。この植栽容器（プランター）７は、つる性植物等の緑化植物を生長させるためのもので、例えばプラスチック、金属等で前記枠体５の内側空間の下部に設置できる程度の大きさの横長の箱状に形成されている。この植栽容器７の内部には、土壌や培養土が入れられて緑化植物９が植え付けられている。
【００２０】
前記枠体５の内側空間の下端部には、植栽容器設置台８が設けられている。この植栽容器設置台８は、その上面に植栽容器７を載置するもので、例えば横長の矩形板状に形成されている。なお、前記植栽容器設置台８は、横長の矩形板状のものに限られず、箱状の植栽容器７の全体を収容可能な容積を有し上面が開口されたボックス型に形成してもよい。この場合は、ボックス型の植栽容器設置台８の内部に植栽容器７を収容して、安定して植栽容器７を支持することができる。
【００２１】
前記緑化パネル体１は、図１及び図２に示すように、例えばビルのベランダなどの張出床部３に設置された２本の支柱４，４、及びその支柱４，４の間にて枠体５の上方に水平に張られたハンガーレール（レール部材）１０を用いて直立して設けられている。前記支柱４は、図２に示すように、建物の壁面２に沿って外側に張り出した張出床部３において建物の壁面側から予め定めた距離だけ離れた位置に上下方向に設置されており、図１に示すように、例えば２枚の緑化パネル体１の横幅が入り得る間隔をあけて２本並べて設けられている。具体的には、前記張出床部３において、下階張出床部３ａと上階張出床部３ｂとの間に建物の壁面側から所定距離だけ離れた位置に垂直状態に設けられている。なお、支柱４は、張出床部３に埋め込み式に設置してもよいし、取付金具等により後付け式に設置してもよい。
【００２２】
ここで、図１及び図２において、緑化パネル体１の取り付け状態について説明する。まず、図１に示すように、前記支柱４，４の上端部から所定の距離だけ下がった位置に、Ｌ型アングル材１１，１１が取り付けられている。そして、Ｌ型アングル材１１の下片にハンガーレール１０の端部を固定して、図１に示すように、前記ハンガーレール１０が支柱４，４の間に水平に張られている。このハンガーレール１０は、断面形がＣ形チャンネル状に形成されている。
【００２３】
緑化パネル体１の上辺の両端部には、前記ハンガーレール１０のＣ形溝に嵌まる吊車１２が吊りボルト１３（図２参照）を介して取り付けられている。なお、吊りボルト１３は、枠体５に固定されている。この状態で、図２に示すように、緑化パネル体１の上辺に取り付けられた吊車１２をハンガーレール１０のＣ形溝に嵌めて係合し、これにより緑化パネル体１が建物の壁面側から予め定めた距離だけ離れた位置にて壁面２に平行に設けられる。この結果、前記緑化パネル体１は、ハンガーレール１０に係合した状態で、図１に矢印Ａ，Ｂで示すように、壁面２に平行にスライド可能に組み合わされる。
【００２４】
このような緑化パネル体１の取り付け状態により、建物の張出床部３にいる作業者が、緑化パネル体１を手で左右に移動操作することにより、張出床部３上において矢印Ａ又はＢのように壁面２に平行にスライドすることができる。そして、建物の張出床部３において作業者が、緑化植物９に対して水やり、肥料の供給、防虫薬剤散布等の管理や、繁茂した枝葉の切除等の手入れなどを行う。
【００２５】
なお、図２において、符号１５は、建物の張出床部３においてその外側辺に設けられた落下防止柵（又は手すり）を示している。
【００２６】
ここで、本発明においては、前記植栽容器設置台８は、枠体５に対して上下移動自在に支持されると共に、該植栽容器設置台８の下面にはキャスター１７が設けられており、このキャスター１７により植栽容器設置台８を前記張出床部３上で移動可能に支持している。すなわち、植栽容器設置台８は、緑化パネル体１の枠体５とは分離して設けられ、その植栽容器設置台８の荷重はキャスター１７で支持されるようになっている。
【００２７】
まず、植栽容器設置台８の支持の仕方について、図３を参照して説明する。図３は、図２において緑化パネル体１の枠体５に対する植栽容器設置台８の支持状態を示す要部拡大断面図である。図３（ａ）において、横長の矩形板状の植栽容器設置台８の奥行方向の両端部には（図１参照）、断面Ｌ字状に形成された係止金具１８，１８が取り付けられている。この係止金具１８の水平片が植栽容器設置台８の上面に固定されており、その立上り片には上下方向の長穴１９が形成されている。前記緑化パネル体１の下辺の枠体５には、前記係止金具１８に対向する状態で、同じく断面Ｌ字状に形成された止め金具２０が取り付けられている。この止め金具２０の水平片が前記枠体５に固定されており、その立上り片は前記係止金具１８の立上り片に平行に立ち上げられている。そして、係止金具１８の長穴１９にボルト２１を嵌合して、そのボルト２１の軸部を止め金具２０のボルト孔に通してナットで締め付けている。このボルト２１が、係止金具１８の長穴１９に嵌合する軸部材となる。この場合、枠体５に固定された止め金具２０に取り付けたボルト２１の頭部首下が、係止金具１８の長穴１９に嵌合することにより、植栽容器設置台８が枠体５の下部に支持されると共に、枠体５に対して上下移動自在とされる。
【００２８】
また、前記植栽容器設置台８の下面には、その矩形板状の四隅部に１個ずつのキャスター１７（合計４個）が設けられている。このキャスター１７は、植栽容器７を載置した植栽容器設置台８の全体重量を支持した状態で、張出床部３上で移動可能に支持するものである。このように、緑化パネル体１の枠体５とは分離して設けられた植栽容器設置台８をキャスター１７で支持することで、前記枠体５は植栽容器７及び植栽容器設置台８の重量を負担することがなくなる。なお、前記キャスター１７は、４個に限られず、植栽容器設置台８の下面に適宜に配置して、１個でもよいし、或いは２個以上としてもよい。
【００２９】
このように構成された建物緑化構造体を通常のビルや集合住宅（マンション）等のベランダに設置した場合、図１において、前記緑化パネル体１の大きさをマンション等の引き違いサッシ窓の片方の横幅と同等にしておけば、室内側から左右どちらかのサッシ窓をあけた状態にして、緑化パネル体１を左右どちらかにスライドすることで、サッシ窓の開放状態と緑化パネル体１の開放状態とを合致又は逆とさせることができる。この場合、張出床部３の表面仕上げが平らでない場合であっても、図３（ａ），（ｂ）に矢印Ｃ，Ｄで示すように、植栽容器設置台８を張出床部３上で上下に移動可能として、張出床部３の凹凸等に追従して上下に移動しながら、左右にスライドする（図１の矢印Ａ，Ｂ参照）ことができる。そして、作業者は、室内から緑化パネル体１の側方を通って該緑化パネル体１の前面側に出ることができ、前記緑化パネル体１の前面又は側方から緑化植物９の管理や手入れなどを行うことができる。また、建物の張出床部３に下部のレール部材が存在しないので、歩行又は家事作業の障害になることがなく、ゴミも溜まらず、床面を清潔に保つことができる。
【００３０】
図４は第２の実施形態を示す正面図であり、図５はその設置状態及び使用状態を示す図４の平面図である。この実施形態は、前記緑化パネル体１を、該緑化パネル体１の縦軸を中心にして前記張出床部３内で所定角度まで回動可能としたものである。
【００３１】
この実施形態による緑化パネル体１は、図４及び図５に示すように、張出床部３に設置された支柱４を用いて直立して設けられている。この支柱４は、建物の壁面２に沿って外側に張り出した張出床部３において建物の壁面側から予め定めた距離だけ離れた位置にて上下方向に設置されており、図４に示すように、例えば左右に２枚並んだ緑化パネル体１の横幅が入り得る間隔をあけて２本並べて設けられている。この場合、前記緑化パネル体１の縦軸とは、左右の支柱４に取り付けられた各緑化パネル体１の支柱側の一側辺部である。
【００３２】
ここで、図４において、向かって右側の緑化パネル体１は、その右側に位置する支柱４の左側面と前記緑化パネル体１の枠体５の右側部材の端面との間に、蝶番２２が少なくとも上部及び下部に取り付けられており、この蝶番２２，２２により図５において矢印Ｅ方向に回動して開くように取り付けられている。また、向かって左側の緑化パネル体１は、その左側に位置する支柱４の右側面と前記緑化パネル体１の枠体５の左側部材の端面との間に、同じく蝶番２２が少なくとも上部及び下部に取り付けられており、この蝶番２２，２２により図５において矢印Ｆ方向に回動して開くように取り付けられている。したがって、左右２枚の緑化パネル体１は、図５に示すように、建物の張出床部３にて建物の壁面２側に向けて回動して、観音開き式に開閉するようになる。
【００３３】
図４においては図示していないが、支柱４，４の間にて緑化パネル体１の枠体５の上方に水平に張られたハンガーレール１０の中央部分の前面側に、例えば横長矩形状のストッパ片を下向きに取り付けてもよい。このようにストッパ片を取り付けることで、図５において左右２枚の緑化パネル体１，１を閉じたときに、それら２枚の緑化パネル体１，１が建物の壁面２に略平行になって停止する。
【００３４】
このような緑化パネル体１の取り付け状態により、図５に示すように、建物の張出床部３上で壁面２側にいる作業者１６が、緑化パネル体１を手前側に引くことにより、張出床部３上において前記蝶番２２を中心にして緑化パネル体１を矢印Ｅ方向又はＦ方向に回動して開くことができる。これにより、上記支柱４に取り付けられた緑化パネル体１の一側辺部を中心にして、該緑化パネル体１を建物の壁面２側に向けて所定角度（略９０度）まで回動可能とする。この場合、張出床部３に水勾配が付けられていたり、表面仕上げが平らでない状態であっても、図３（ａ），（ｂ）に示す矢印Ｃ，Ｄのように植栽容器設置台８が張出床部３上で上下に移動して高低差に追従しながら、図５に示す矢印Ｅ，Ｆ方向に回動して開くことができる。
【００３５】
なお、図４及び図５においては、緑化パネル体１を左右２枚並べて設けたものとしたが、本発明はこれに限られず、１枚だけ設けてもよい。その場合、支柱４，４の間隔は、１枚の緑化パネル体１の横幅が入り得る間隔とすればよい。
【００３６】
図６は第３の実施形態を示す正面図であり、図７はその設置状態及び使用状態を示す図６の平面図である。この実施形態は、前記緑化パネル体１を、前記枠体５の上方に設置されたハンガーレール（レール部材）１０に係合させて壁面２に平行に２枚以上連結して設け、該緑化パネル体１の縦軸を中心にして張出床部３内で所定角度まで回動可能とすると共に、前記ハンガーレール１０に沿って側方へスライド可能としたものである。
【００３７】
この実施形態による緑化パネル体１は、図６に示すように、張出床部３に設置された２本の支柱４，４、及びその支柱４，４の間にて枠体５の上方に水平に張られたハンガーレール（レール部材）１０を用いて直立して設けられている。ハンガーレール１０は、図１に示すと同様に設けられている。前記支柱４は、図７に示すように、建物の壁面２に沿って外側に張り出した張出床部３において建物の壁面側から予め定めた距離だけ離れた位置に上下方向に設置されており、図６に示すように、例えば左右に２枚並んだ緑化パネル体１の横幅が入り得る間隔をあけて２本並べて設けられている。
【００３８】
ここで、図６において、向かって右側の緑化パネル体１の取付け状態について説明する。この緑化パネル体１の上辺の右端部には、前記ハンガーレール１０のＣ形溝に嵌まる吊車１２が吊りボルト１３を介して取り付けられている。なお、吊りボルト１３は、枠体５に固定されている。この状態で、緑化パネル体１の上辺の吊車１２をハンガーレール１０のＣ形溝に嵌めて係合している。そして、前記吊車１２及び吊りボルト１３の真下に位置する枠体５の下側部材は、その右側に位置する支柱４から伸びる水平板材から直立する軸支ピン２３とピボット結合している。したがって、右側の緑化パネル体１は、前記吊車１２及び吊りボルト１３並びに軸支ピン２３を中心にして、図７において矢印Ｇ方向に、張出床部３内で外側に向けて約９０度まで回動可能とされる。この場合、前記緑化パネル体１の縦軸とは、前記吊車１２及び吊りボルト１３並びに軸支ピン２３を通る軸線である。
【００３９】
次に、向かって左側の緑化パネル体１の取付け状態について説明する。この緑化パネル体１の上辺の左端部には、前記ハンガーレール１０のＣ形溝に嵌まる吊車１２が吊りボルト１３を介して取り付けられている。なお、吊りボルト１３は、枠体５に固定されている。この状態で、緑化パネル体１の上辺の吊車１２をハンガーレール１０のＣ形溝に嵌めて係合している。そして、前述のように取り付けられた右側の緑化パネル体１の左側辺部と、左側の緑化パネル体１の右側辺部との間に、蝶番２２が少なくとも上部及び下部に取り付けられている。この蝶番２２，２２により、左右２枚の緑化パネル体１が連結されている。
【００４０】
このような左右２枚の緑化パネル体１の取付け状態により、図７に示すように、建物の張出床部３上で落下防止柵１５側にいる作業者１６が、右側の緑化パネル体１ａの左側辺部を手前側に引くことにより、該右側の緑化パネル体１ａが、図６に示す吊車１２及び吊りボルト１３並びに軸支ピン２３を通る軸線を中心にして矢印Ｇ方向に回動して開いて行く。この開き動作に連動して、蝶番２２により連結された左側の緑化パネル体１ｂが、右側の緑化パネル体１ａに引きずられながら左端部の吊車１２及び吊りボルト１３を中心にして回動しつつ矢印Ｈ方向に移動して行く。そして、最終的に矢印Ｇ方向に略９０度開いた右側の緑化パネル体１ａの裏側に、左側の緑化パネル体１ｂの裏側を重ねるように折り畳んだ状態となって、折戸式に開閉することができる。この場合、張出床部３に水勾配が付けられていたり、表面仕上げが平らでない状態であっても、図３（ａ），（ｂ）に示す矢印Ｃ，Ｄのように植栽容器設置台８が張出床部３上で上下に移動して高低差に追従しながら、図７に示す矢印Ｇ，Ｈ方向に回動、移動させることができる。
【００４１】
図８は第４の実施形態を示す正面図であり、図９はその設置状態及び使用状態を示す図８の平面図である。この実施形態は、第３の実施形態と同様に、前記緑化パネル体１を、前記枠体５の上方に設置されたハンガーレール（レール部材）１０に係合させて壁面２に平行に２枚以上連結して設け、該緑化パネル体１の縦軸を中心にして張出床部３内で所定角度まで回動可能とすると共に、前記ハンガーレール１０に沿って側方へスライド可能としたものであるが、各緑化パネル体１の回動の仕方が異なる。
【００４２】
この実施形態による緑化パネル体１は、基本的に図６に示すと同様に、張出床部３に設置された２本の支柱４，４、及びその支柱４，４の間にて枠体５の上方に水平に張られたハンガーレール１０を用いて、左右に２枚並んだ緑化パネル体１が直立して設けられている。
【００４３】
ここで、図８において、向かって右側の緑化パネル体１の取付け状態について説明する。この緑化パネル体１の上辺の中央部には、前記ハンガーレール１０のＣ形溝に嵌まる吊車１２が吊りボルト１３を介して取り付けられている。なお、吊りボルト１３は、枠体５に固定されている。この状態で、緑化パネル体１の上辺の吊車１２をハンガーレール１０のＣ形溝に嵌めて係合している。これにより、右側の緑化パネル体１は、前記吊車１２及び吊りボルト１３を中心にして、その両側辺部が図９において矢印Ｊ，Ｋのように、張出床部３内で回動可能とされる。この場合、前記緑化パネル体１の縦軸とは、前記吊車１２及び吊りボルト１３を通る軸線である。
【００４４】
次に、向かって左側の緑化パネル体１の取付け状態について説明する。この緑化パネル体１の上辺の中央部には、前記ハンガーレール１０のＣ形溝に嵌まる吊車１２が吊りボルト１３を介して取り付けられている。なお、吊りボルト１３は、枠体５に固定されている。この状態で、緑化パネル体１の上辺の吊車１２をハンガーレール１０のＣ形溝に嵌めて係合している。そして、前述のように取り付けられた右側の緑化パネル体１の左側辺部と、左側の緑化パネル体１の右側辺部との間に、蝶番２２が少なくとも上部及び下部に取り付けられている。この蝶番２２，２２により、左右２枚の緑化パネル体１が連結されている。
【００４５】
このような左右２枚の緑化パネル体１の取付け状態により、図９に示すように、建物の張出床部３上で落下防止柵１５側にいる作業者１６が、右側の緑化パネル体１ａの左側辺部を手前側に引くことにより、該右側の緑化パネル体１ａが、図８に示す中央部の吊車１２及び吊りボルト１３を通る軸線を中心にして、その両側辺部が矢印Ｊ，Ｋのように回動して開いて行く。この開き動作に連動して、蝶番２２により連結された左側の緑化パネル体１ｂが、右側の緑化パネル体１ａに引きずられながら中央部の吊車１２及び吊りボルト１３を中心にして回動しつつ矢印Ｌ方向に移動して行く。そして、最終的に矢印Ｊ，Ｋ方向に略９０度開いた右側の緑化パネル体１ａの裏側に、左側の緑化パネル体１ｂの裏側を重ねるように折り畳んだ状態となって、折戸式に開閉することができる。さらに、この折戸式に折り畳まれた２枚の緑化パネル体１の全体を、図９において矢印Ｍ，Ｎのように、左右にスライド移動させることもできる。この場合、張出床部３に水勾配が付けられていたり、表面仕上げが平らでない状態であっても、図３（ａ），（ｂ）に示す矢印Ｃ，Ｄのように植栽容器設置台８が張出床部３上で上下に移動して高低差に追従しながら、図９に示す矢印Ｊ，Ｋ，Ｌのように回動、及び矢印Ｍ，Ｎのように左右移動させることができる。
【００４６】
なお、図６及び図８に示す実施形態では、緑化パネル体１は２枚として図示したが、本発明はこれに限られず、３枚以上を折戸式に並べて設置してもよい。また、何れの実施形態においても、植栽容器設置台８は、箱状の植栽容器７の全体を収容可能な容積を有し上面が開口されたボックス型に形成してもよい。さらに、本発明の建物緑化構造体は、図示の実施例では、建物の壁面２に沿って外側に張り出した張出床部（例えばビルのベランダなど）３において、建物の２階以上の下階張出床部３ａと上階張出床部３ｂとの間に設置した状態としたが、これに限られず、建物の１階の張出床部３であってもよい。また、建物の１階において落下防止柵１５が存在しない状態にて、建物の壁面２に沿って外側に張り出した張出床部３であってもよい。
【符号の説明】
【００４７】
１，１ａ，１ｂ…緑化パネル体
２…壁面
３…張出床部
４…支柱
５…枠体
６…メッシュ状支持部材
７…植栽容器
８…植栽容器設置台
９…緑化植物
１０…レール部材（ハンガーレール）
１１…Ｌ型アングル材
１２…吊車
１３…吊りボルト
１７…キャスター
１８…係止金具
１９…長穴
２０…止め金具
２１…ボルト（軸部材）
２２…蝶番
２３…軸支ピン
【図１】
0006023972.tif 000002
【図２】
0006023972.tif 000003
【図３】
0006023972.tif 000004
【図４】
0006023972.tif 000005
【図５】
0006023972.tif 000006
【図６】
0006023972.tif 000007
【図７】
0006023972.tif 000008
【図８】
0006023972.tif 000009
【図９】
0006023972.tif 000010